(57)【特許請求の範囲】
【請求項１】
施工面上に、網状体と複数の石とが敷設され、前記各石が、該各石の側面に周回り方向において略等角度毎に固定された３以上の複数の連結具をそれぞれ有し、前記各石の連結具が、該各石の周囲における石の連結具に対して前記網状体を介して連結されている護岸構造であって、
前記複数の石は、施工面の横方向に所定間隔をあけつつ順次並んで横列を形成すると共にその横列が縦方向に所定間隔をあけつつ順次形成されるように配置され、
しかも、縦方向に隣り合う横列において、一方の横列における隣り合う石間に他方の横列における石が臨むように配置され、
前記各石が有している前記連結具が、３つとされ、
前記網状体が、前記一方の横列における隣り合う石及び前記他方の横列における石の３石が囲む領域において、部分的に敷設される網状片の集合体とされ、
前記３石が、該各３石の一の連結具が前記網状片に向けられて、該各３石の一の連結具を介して該網状片に連結されている、
ことを特徴とする護岸構造。
【請求項２】
請求項１において、
前記石が自然石である、
ことを特徴とする護岸構造。
【請求項３】
請求項１において、
前記石が、人工石である、
ことを特徴とする護岸構造。
【請求項４】
請求項１において、
前記網状体が、鉄筋又は鉄骨をもって格子状にしたものである、
ことを特徴とする護岸構造。
【請求項５】
請求項１において、
前記網状体が、カーボン繊維又は合成樹脂をもってメッシュ状又は格子状にしたものである、
ことを特徴とする護岸構造。
【請求項６】
請求項１において、
前記網状片の下面に、連結鋼が取付けられている、
ことを特徴とする護岸構造。
【請求項７】
請求項６において、
前記連結綱が、前記網状片の複数が並ぶことになる横方向又は縦方向に延びるようにして配設され、
前記連結鋼に対して、前記複数の網状片が取付けられている、
ことを特徴とする護岸構造。
【請求項８】
請求項６又は７において、
前記施工面上に裏込め層が設けられ、
前記裏込め層内に前記連結鋼がストッパとして埋め込まれている、
ことを特徴とする護岸構造。
【請求項９】
請求項８において、
前記連結綱がフランジを有している、
ことを特徴とする護岸構造。
【請求項１０】
請求項６〜９のいずれかにおいて、
前記網状片が金網片である、
ことを特徴とする護岸構造。
【発明の詳細な説明】
【０００１】
【発明の属する技術分野】
本発明は、護岸構造に関する。
【０００２】
【従来の技術】
護岸工法として、施工面（法尻、法面、法肩）上に多数の石を敷設するものが古くからある。このものによれば、多数の石が施工面を保護し、護岸機能が確保されることになる。
ところで、本発明者は、海岸の緩傾斜提、川堤等においても護岸機能を施すべく、上記のように、多数の石を施工面上に敷設することを考えている。この場合、海岸の緩傾斜提等においては、波力、流水力等が大きくなる場合も考えられることから、それに十分に抗するようにすべく、施工面に敷設する石は大きく且つ重いものが好ましい。
【０００３】
【発明が解決しようとする課題】
しかし、そのような大きく且つ重い石を用いた場合には、それに伴い、搬送の困難性、負担が増すことになり、このような石をいかに容易に施工面に搬送するかが問題となる。
【０００４】
また、上記のような石を施工面に敷設した場合には、重量が増して安定性は増すものの、海岸の緩傾斜提等において護岸機能をより確実に担保するためには、そのような石が波力等に負けずに確実に動かないようにすることが好ましい。
【０００５】
本発明は上記実情に鑑みてなされたもので、その技術的課題は、施工面上に石が敷設される護岸構造において、施工性を向上させることができると共に施工面に対する石の保持力を高めることができるようにすることにある。
【０００６】
【課題を解決するための手段】
上記技術的課題を達成するために本発明（請求項１の発明）にあっては、
施工面上に、網状体と複数の石とが敷設され、前記各石が、該各石の側面に周回り方向において略等角度毎に固定された３以上の複数の連結具をそれぞれ有し、前記各石の連結具が、該各石の周囲における石の連結具に対して前記網状体を介して連結されている護岸構造であって、
前記複数の石は、施工面の横方向に所定間隔をあけつつ順次並んで横列を形成すると共にその横列が縦方向に所定間隔をあけつつ順次形成されるように配置され、
しかも、縦方向に隣り合う横列において、一方の横列における隣り合う石間に他方の横列における石が臨むように配置され、
前記各石が有している前記連結具が、３つとされ、
前記網状体が、前記一方の横列における隣り合う石及び前記他方の横列における石の３石が囲む領域において、部分的に敷設される網状片の集合体とされ、
前記３石が、該各３石の一の連結具が前記網状片に向けられて、該各３石の一の連結具を介して該網状片に連結されている構成としてある。この請求項１の好ましい態様としては、請求項２以下の記載の通りとなる。
【０００７】
【発明の効果】
本発明（請求項１の発明）によれば、石が複数の連結具を有していることから、それを施工面への石の搬送時に利用して、該石を施工面へ簡単に吊り上げ搬送することができることになる。しかもこの場合、その複数の連結具が、３つとされて、周回り方向において略等角度毎に配設されていることから、その３つの連結具を介して石を吊り上げることにより、石の姿勢を吊り上げ開始から吊り上げ終了（施工面への搬送）まで一貫して安定した状態（載置時に下面となる面が下方を向いている状態）で維持できることになり、施工面への石の吊り上げ搬送を円滑に行うことができると共に、施工面への石の設置（載置）を、吊り上げ状態の石をそのまま施工面に降ろすだけで終了できることになる。このため、石の搬送、設置を確実且つ迅速に行うことができ、この面から、施工性を向上させることができることになる。
【０００８】
また、各石の連結具が、該各石の周囲における石の連結具に対して網状体を介して連結されていることから、各石に外力が作用しても、その外力を、複数の連結具により分散させつつ、互いに連結された石全体の重量をもって受け止めることになる。このため、施工面に対する各石の保持力を簡単且つ効果的に高めることができることになる。
【０００９】
しかもこの場合、各石における３つの連結具が等角度毎に配設されていることから、石の周囲のどの方向からの外力に対しても、高い保持力をもって同等に抗することができることになる。
【００１０】
また、複数の石が、施工面の横方向に所定間隔をあけつつ順次並んで横列を形成すると共にその横列が縦方向に所定間隔をあけつつ順次形成されるように配置され、しかも、縦方向に隣り合う横列において、一方の横列における隣り合う石間に他方の横列における石が臨むように配置されていることから、流水等が各横列における護岸施工用石間、各横列間等の複雑な通路を通ることにより波力等を吸収して消波機能を発揮することができることになる。その一方、各横列における石間に対して隣り合う横列の石が臨む構成としていることから、各石間に存在する土砂、小石等が流失すること（洗い流されること）を抑制できることになる。
【００１１】
さらに、各石について連結具を３つ設けると共に、網状片を施工面に部分的に設けることによっても、各石を互いに縦横に連結することができることになり、各石についての連結具の使用数を最少に抑えると共に網状体の使用量を低減しつつ、施工面に対する各石の保持力を高めることができることになる。
【００１２】
【発明の実施の形態】
以下、本発明の実施形態について図面に基づいて説明する。
図１、図２において、符号１は、海岸の緩傾斜提であり、この緩傾斜提１には、実施形態に係る護岸構造が適用されている。この緩傾斜提１においては、その施工面２（法尻、法面、法肩）上に裏込め層３を介して網状体としての金網４が敷設されている。
【００１３】
上記裏込め層３は、施工面２に沿いつつ、小石、砕石等により一定の厚みを有するように形成されており、この裏込め層３に基づき、地耐力、支持力を強化すると共に、表法面からの浸透水や提体からの浸出水（土砂粒を含む）に対するフィルターとしての効果を確保し、さらには、戻り波（戻り流れ）を減衰させて洗掘を低減させることになっている。
【００１４】
上記金網４としては、樹脂被覆製金網が用いられており、その金網４は裏込め層３全体（施工面全体）を覆うことになっている。この場合、広い施工面２に対応すべく、金網４として、所定面積のものが適宜、繋ぎ合わせたものが用いられる。
【００１５】
前記金網４上には、図１、図２に示すように、複数の自然石５が配置されている。各自然石５は、図３、図４に示すように、金網４に対する載置安定性を確保すべく、比較的平坦な面が下面予定面５ａとされ、その下面予定面５ａから立ち上がった面が側面予定面５ｂとされることになっている。そして、金網４に自然石５を載置するに際して、下面予定面５ａが金網４上に載置されて、その下面予定面５ａが下面となり、側面予定面５ｂが側面となることになっている。この自然石５としては、下面予定面５ａを金網４上に載置したときにおいて、平面視したときにおける径Ｄが１〜３ｍ程度、正面視したときにおける高さ（側面予定面５ｂの高さ）Ｈが０．５〜１ｍ程度、重量が１（ｔｏｎ）〜４（ｔｏｎ）程度のものを用いることが好ましく、本実施形態においては、平面視したときにおける径Ｄが１．５ｍ程度、正面視したときにおける高さＨが０．５〜０．８ｍ程度、重量が２（ｔｏｎ）程度のものが用いられている。
【００１６】
この各自然石５には、図１〜図５に示すように、側面予定面５ｂの下部において複数の連結具６が固定されている（護岸施工用石）。各連結具６は、固定されるべき部分としての軸部６ａと、該軸部６ａの一端部に一体的に設けられるリング部６ｂとを備えており、これらは、鋳鉄をもって一体的に形成されている。この連結具６の軸部６ｂは、自然石５に形成された保持穴７に挿入されてその保持穴７内に充填されている接着剤をもって自然石５に固定されており、リング部６ｂは自然石５の外方に突出されている。この場合、連結具６の軸部６ａは、自然石５内部に進入するに従って下面予定面５ａから遠のくように傾斜されている（図５参照）。
【００１７】
前記複数の連結具６は、本実施形態においては、３本とされている。この３本の連結具６は、下面予定面５ａに対して垂直となる軸心Ｏの周回り方向に略等角度θ（＝１２０°）毎に配設されている。
【００１８】
前記複数の自然石５は、図１、図２に示すように、金網４上においては、横方向に並ぶ横列Ｌを形成しつつ、そのような横列Ｌが法尻から法肩に（縦方向に）向けて複数形成されるように配設されている。この場合、横列Ｌは、隣り合う自然石５が一定の間隔Ｓ１（例えば３０ｃｍ程度）をあけるようにされ、縦方向に隣り合う横列Ｌ、Ｌは、一定の間隔Ｓ２（例えば３０ｃｍ程度）をあけつつ、一方の横列Ｌにおける隣り合う自然石５間（間隔Ｓ１）に他方の横列Ｌの自然石５が臨むことになっている。
【００１９】
前記各自然石５は、連結具６を介して前記金網４に連結されている。金網４に対する自然石５における連結具６の連結は、本実施形態においては、各自然石５における各連結具６のリング部６ｂと金網４の網目とに対して別の連結具であるシャックル８を通すことにより連結されており、各自然石５は、軸心Ｏを中心とした周回り方向に等角度θ毎に配設された３点をもって金網４に安定した状態で固定されている。
【００２０】
前記金網４上には、図２に示すように、各自然石５間において、間詰石９が配設されている。この間詰石９は、金網４が外部に露出しないように全体的に充填されており、これにより、連結具６、シャックル８も外部に現れないことになっている。
【００２１】
次に、上記緩傾斜提１の施工方法について説明する。
【００２２】
先ず、法尻、法面、法肩等の施工面２上に裏込め層３を形成し、次に、裏込め層３上（施工面２上）に金網４を敷設する（図２参照）。裏込め層３を形成するのは、前述の如く、地耐力、支持力の強化、フィルター効果の確保、洗掘の低減等のためであり、裏込め層３上（施工面２上）に金網４を敷設するのは、護岸施工用石としての自然石５を施工面２上に保持できるようにするためである。この場合、金網４は、施工面２に対して止め具をもって固定するのが好ましい。
【００２３】
次に、前述の自然石５（護岸施工用石）を、図外の自然石保管場所から金網４上に順次、搬送し、図１、図２に示すように、複数の自然石５をもって複数の横列Ｌを形成する。複数の自然石５の配置により、護岸、消波機能を効果的に担保するためである。この場合、自然石５は、クレーン等を用いて吊り上げ搬送が行われることになっており、自然石５の３つの連結具６（リング部６ｂ）にワイヤ等（図示略）が通されて、そのワイヤ、連結具６を介して自然石５はクレーン等により吊り上げ搬送される。
【００２４】
その際、連結具６が自然石５の側面予定面５ｂに周回り方向に略等角度θ毎に配設されてバランスがとられていることから、自然石５は、下面予定面５ａを下方に向けつつ吊り上げられて施工面２まで搬送され、そのままの姿勢で自然石５は金網４上に降ろされることになり、自然石５の吊り上げ搬送、自然石５の設置は円滑に行われる。またこのとき、連結具６の軸部６ａが、側面予定面５ｂから自然石５内部に向かうに従って、下面予定面５ａから遠のくように傾斜されていることから、自然石５の吊り上げに伴い、軸部６ａと保持穴７内壁との係合力が増すことになり、連結具６と自然石５との連結強度は増加されて、吊り上げ搬送が確実に行われる。
【００２５】
金網４上に自然石５が降ろされると、順次、その自然石５における３つの各連結具６のリング部６ｂと金網４の網目にシャックル８が通されて、自然石５と金網４とが連結される。金網４を介して各自然石５を互いに連結して、施工面に対する自然石５の保持力を高めるためである。すなわち、各自然石５に波力等の外力が作用しても、当該自然石５の重量だけでなく、互いの連結関係に基づき、その外力を他の全ての自然石５の重量をもって受け止めるようにするのである。金網４に対して全ての自然石５を連結し終えると、各自然石５の間に間詰石９が充填される。金網４、連結具６、シャックル８を間詰石９により覆い、自然石５と共に周囲の自然景観に調和させるためである。これにより、施工は終了する。
【００２６】
図７〜図９は、他の実施形態を示すものである。この他の実施形態において、前記実施形態と同一構成要素については同一符号を付してその説明を省略する。
【００２７】
この実施形態においては、一体的な金網４に代えて、多数の矩形上状金網片１０が用いられている。すなわち、図８に示すように、複数の自然石５は、縦方向に隣り合う横列Ｌ、Ｌにおいて、一方の横列Ｌにおける隣り合う自然石５−１、５−２間に他方の横列Ｌにおける自然石５−３が臨むように配置されているが（便宜的に、一部の領域において、５−１、５−２、５−３を用いて説明する）、そのような３つの自然石５−１、５−２、５−３が囲む各領域に上記金網片１０がそれぞれ設けられ、その金網片１０に３つの各自然石５−１、５−２、５−３の一の連結具６がシャックル８を介して連結されている。これにより、このように３つの連結具６、多数の金網片１０を用いる場合でも、各自然石５を互いに各金網片１０を介して連結することができることになる。
【００２８】
この場合、金網片１０には、図９に示すように、単純にシート状のものと、その金網片１０に連結鋼１１（フランジを有するもの）を取付けてそれをもってストッパとなすものとがあり、その連結鋼１１が取付けられているものに関しては、裏込め層３内に埋められて、金網片１０が裏込め層３から離間しないようになっている。尚、本実施形態においては、一の連結鋼１１は、縦方向又は横方向（図８中、上下方向又は左右方向）に延びるようにして裏込め層３内に埋め込まれており、その連結鋼１１に、その連結鋼１１上に位置する複数の金網片１１が取付けられることになっている。
【００２９】
以上実施形態について説明したが本発明にあっては、次のような態様を包含する。
１）自然石５に代えて人工石を用いること。
２）自然石５に４以上の連結具６を設けること。
３）網状体が、金網に限らず、カーボン繊維、合成樹脂等をもってメッシュ状又は格子状にしたもの、鉄筋、鉄骨等をもって格子状にしたもの等、種々のものを含むこと。
４）シャックル８に限らず、針金、紐を含め各種のものを用いること。
５）自然石５に対する連結具６の固定手段として、アンカー等の機械的結合関係をもって連結するものを用いること。
尚、本発明の目的は、明記されたものに限らず、実質的に好ましい或いは利点として記載されたものに対応したものを提供することをも含むものである。
【図面の簡単な説明】
【図１】実施形態に係る緩傾斜提を示す説明図。
【図２】実施形態に係る緩傾斜提を平面的に示す図。
【図３】実施形態に係る緩傾斜提に用いる自然石を示す平面図。
【図４】図３の正面図。
【図５】自然石に対する連結具の取付けを説明する説明図。
【図６】自然石（連結具）と金網との連結を説明する説明図。
【図７】他の実施形態に係る緩傾斜提を示す説明図。
【図８】他の実施形態に係る緩傾斜提を平面的に示す図。
【図９】他の実施形態に係る金網片を説明する説明図。
【符号の説明】
１ 緩傾斜提
２ 施工面
４ 金網
５ 自然石
６ 連結具
８ シャックル
１１ 金網片
Ｌ 横列
θ 角度
【図１】
0003547699.tif 000002
【図２】
0003547699.tif 000003
【図３】
0003547699.tif 000004
【図４】
0003547699.tif 000005
【図５】
0003547699.tif 000006
【図６】
0003547699.tif 000007
【図７】
0003547699.tif 000008
【図８】
0003547699.tif 000009
【図９】
0003547699.tif 000010